(57)【要約】【課題】衛星放送受信信号のＲＦ信号から第一のＩＦ信号及び第二のＩＦ信号へ周波数変換する際に、第二のＩＦ信号へと周波数変換する第二の周波数変換ブロックにとってのイメージ周波数（IF Image）を除去すること。【解決手段】衛星放送受信信号を中間周波数帯域のチャンネル信号群に変換するＲＦ混合器１０３、１３３と、前記チャンネル信号群を所定の固定周波数に変換するＩＦ混合器１１０、１１３、１４０、１４３とを備えた１ケーブルワイドバンドＬＮＢにおいて、ＲＦ混合器１０３、１３３とＩＦ混合器１１０、１１３、１４０、１４３との間に帯域除去フィルタ１２，１４を設け、ＩＦ混合器１１０、１１３、１４０、１４３にとってのイメージ周波数を減衰させることとした。【選択図】図１
2007235433.tif 000002
【特許請求の範囲】
【請求項１】
衛星放送受信信号を中間周波数帯域のチャンネル信号群に変換する第一の周波数変換ブロックと、
前記チャンネル信号群を所定の固定周波数に変換する第二の周波数変換ブロックと、
前記第一の周波数変換ブロックと前記第二の周波数変換ブロックとの間に設けられ、前記第二の周波数変換ブロックにとってイメージ周波数となる周波数帯域を減衰させる減衰回路と、を具備したことを特徴とするローノイズブロックコンバータ。
【請求項２】
前記減衰回路を帯域除去フィルタで構成したことを特徴とする請求項１記載のローノイズブロックコンバータ。
【請求項３】
前記減衰回路をローパスフィルタで構成したことを特徴とする請求項１記載のローノイズブロックコンバータ。
【請求項４】
前記減衰回路と前記第二の周波数変換ブロックとの間に設けられ、複数のチャンネル信号群を入力する複数の入力端と当該入力端から入力されたチャンネル信号群を出力する複数の出力端子とを有するスイッチ回路を備えたことを特徴とする請求項１から請求項３のいずれかに記載のローノイズブロックコンバータ。
【請求項５】
前記第一の周波数変換ブロックを複数備え、
前記スイッチ回路は、前記複数の第一の周波数変換ブロックから前記入力端子に入力されるチャンネル信号群を選択して出力することを特徴とする請求項４記載のローノイズブロックコンバータ。
【発明の詳細な説明】
【技術分野】
【０００１】
本発明は、衛星放送受信用の周波数変換器であるローノイズブロックコンバータ（以下、「ＬＮＢ」という）に関する。
【背景技術】
【０００２】
従来、１つのＬＮＢに対して４つのＢＳレシーバ（例えば、２チューナ内蔵ＢＳレシーバを２台）を接続したいといった要望があり、出力端子を４つ備えた４出力ＬＮＢが存在した。ところが、４出力ＬＮＢはＢＳレシーバとの間に４本のケーブルが必要となり経済的負担が大きかった。そこで、１本のケーブルに４つの信号を載せて出力するＬＮＢが提案された（例えば、特許文献１参照）。
【０００３】
図７はＲＦ信号から１つのＩＦ信号へ直接変換するようにしたＬＮＢの構成例を示す図である。ＬＮＢの一方の低雑音増幅器１０１に水平偏波信号Ｈが入力され、他方の低雑音増幅器１３１に垂直偏波信号Ｖが入力される。一方の低雑音増幅器１０１から出力される水平偏波信号Ｈはバンドパスフィルタ１０２でイメージ信号（RF Image）が除去され、他方の低雑音増幅器１３１から出力される垂直偏波信号Ｖはバンドパスフィルタ１３２でイメージ信号（RF Image）が除去される。後段のＲＦ混合器１０３，１３３において、局部発振周波数Ｌｏ＝１０．２ＧＨｚとの乗算によりＩＦ信号(０．５ＧＨｚ〜２．５５ＧＨｚ)に変換する場合、イメージ帯（RF Image）は７．６５ＧＨｚ〜９．７ＧＨｚとなる。従来は、このイメージ帯（RF Image：７．６５ＧＨｚ〜９．７ＧＨｚ）をバンドパスフィルタ１０２、１３２で除去していた。
【０００４】
一方のバンドパスフィルタ１０２で取り出されたＲＦ信号（１０．７ＧＨｚ〜１２．７５ＧＨｚ）に対して、第一の周波数変換ブロックとなるＲＦ混合器１０３において局部発振器１０４から供給される局部発振信号Ｌｏ（１０．２ＧＨｚ）を乗算し、チャンネル信号群としてのＩＦ信号(例えば、０．５ＧＨｚ〜２．５５ＧＨｚ)に変換する。他方のバンドパスフィルタ１３２で取り出されたＲＦ信号（１０．７ＧＨｚ〜１２．７５ＧＨｚ）に対しても同様に、第一の周波数変換ブロックとなるＲＦ混合器１３３において局部発振器１０４から供給される局部発振信号Ｌｏを乗算し、チャンネル信号群としてのＩＦ信号(０．５ＧＨｚ〜２．５５ＧＨｚ)に変換する。
【０００５】
ＲＦ混合器１０３，１３３の出力するＩＦ信号は増幅器１０６，１３６を介して分配器１０７，１３７へ入力され、そこで分岐されて第１及び第２のスイッチ回路１０８及び１３８へ入力される。スイッチ回路１０８は、水平偏波信号Ｈ及び垂直偏波信号Ｖの２つのＩＦ信号を入力し、出力端子１０８ａ、１０８ｂから出力する２入力×２出力のスイッチ回路である。同様にスイッチ回路１３８は、水平偏波信号Ｈ及び垂直偏波信号Ｖの２つのＩＦ信号を入力し、出力端子１３８ａ、１３８ｂから出力する２入力×２出力のスイッチ回路である。
【０００６】
第１のスイッチ回路１０８の２つの出力端子１０８ａ、１０８ｂには増幅器１０９、１１２を介して第二の周波数変換ブロックとなるＩＦ混合器１１０、１１３が接続される。ＩＦ混合器１１０、１１３は、入力ＩＦ信号に対して各々対応する電圧制御発振器１１１，１１４から供給される局部発振信号を乗算し、水平偏波信号Ｈ及び垂直偏波信号Ｖを０．５ＧＨｚ〜２．５５ＧＨｚの周波数帯域から各々特定の固定周波数（例えば、ＩＦ混合器１１０が１．４ＧＨｚ、ＩＦ混合器１１３が１．５1６ＧＨｚ）に周波数変換する。第２のスイッチ回路１３８の２つの出力端子１３８ａ、１３８ｂには増幅器１３９、１４２を介して第二の周波数変換ブロックとなるＩＦ混合器１４０、１４３が接続される。ＩＦ混合器１４０、１４３は入力ＩＦ信号に対して各々対応する電圧制御発振器１４１，１４４から供給される局部発振信号を乗算し、水平偏波信号Ｈ及び垂直偏波信号Ｖを０．５ＧＨｚ〜２．５５ＧＨｚの周波数帯域から各々特定の固定周波数（例えば、ＩＦ混合器１４０が１．６３２ＧＨｚ、ＩＦ混合器１４３が１．７４８ＧＨｚ）に周波数変換する。
【０００７】
各ＩＦ混合器１１０，１１３，１４０，１４４の出力段には、増幅器１１５，１１６，１４５，１４６が接続され、さらにインピーダンス調整用のバラン１２１，１２２，１５１，１５２を介してバンドパスフィルタ１２３，１２４，１５３，１５４が接続されている。各ＩＦ混合器１１０，１１３，１４０，１４４でそれぞれ固定周波数に変換されたＩＦ信号は、バンドパスフィルタ１２３，１２４，１４３，１４４でそれぞれの固定周波数に対する不要周波数成分をカットし、２段の混合器１２５，１４５及び１２６で混合される。そしてＩＦ増幅器１２７で設定ゲインにて増幅された後、出力ポートからケーブルへ出力される。
【０００８】
このように、第一の周波数変換ブロックとなるＲＦ混合器１０３、１３３で第一のＩＦ信号に変換し、第二の周波数変換ブロックとなるＩＦ混合器１１０、１１３、１４０、１４３でそれぞれ固定周波数の第二のＩＦ信号に変換している。周波数変換ブロックを２段構成にして第一及び第二のＩＦ信号へと変換する構成とすることにより、発振器及び混合器の数を削減できる利点がある。図７に示すＬＮＢのように広帯域（１０．７ＧＨｚ〜１２．７５ＧＨｚ）のテレビジョン信号を狭帯域(０．５ＧＨｚ〜２．５５ＧＨｚ)のＩＦ信号に直接変換するＬＮＢを便宜上ワイドバンドＬＮＢと呼ぶものとする。
【特許文献１】米国特許出願公開第２００３／０１４１９４９号明細書
【発明の開示】
【発明が解決しようとする課題】
【０００９】
しかしながら、上記したワイドバンドＬＮＢにおいて、ＲＦ信号を第一及び第二のＩＦ信号へと変換する場合、第一の周波数変換ブロック（１０３，１３２）にとってイメージ周波数となる第一のイメージ信号（RF Image：７．６５ＧＨｚ〜９．７ＧＨｚ）だけでなく、第二の周波数変換ブロックにとってイメージ周波数となる第二のイメージ信号（IF Image）が発生することになる。第二のＩＦ信号が上記各固定周波数であるとすれば、３．３ＧＨｚ〜６．０４６ＧＨｚが第二のイメージ信号（IF Image）となる。
また、第二のイメージ信号（IF Image）の低域側（３．３ＧＨｚ）は、衛星放送受信信号である第一のＩＦ信号の信号帯域の高域側（２．５５ＧＨｚ）と接近しており、バンドパスフィルタ１０２，１３２で第１のイメージ信号（RF Image）と同時に除去しようとすると、バンドパスフィルタ１０２，１３２が大型化する問題がある。
【００１０】
本発明は、かかる点に鑑みてなされたものであり、衛星放送受信信号のＲＦ信号から第一のＩＦ信号及び第二のＩＦ信号へ周波数変換する際に、第一のＩＦ信号へと周波数変換する第一の周波数変換ブロックにとってのイメージ周波数（RF Image）を除去するためのフィルタを大型化することなく、第二のＩＦ信号へと周波数変換する第二の周波数変換ブロックにとってのイメージ周波数（IF Image）を除去することのできるローノイズブロックコンバータを提供することを目的とする。
【課題を解決するための手段】
【００１１】
本発明のローノイズブロックコンバータは、衛星放送受信信号を中間周波数帯域のチャンネル信号群に変換する第一の周波数変換ブロックと、前記チャンネル信号群を所定の固定周波数に変換する第二の周波数変換ブロックと、前記第一の周波数変換ブロックと前記第二の周波数変換ブロックとの間に設けられ、前記第二の周波数変換ブロックにとってイメージ周波数となる周波数帯域を減衰させる減衰回路とを具備したことを特徴とする。
【００１２】
この構成によれば、第二の周波数変換ブロックにとってイメージ周波数となる周波数帯域を減衰させる減衰回路を、第一の周波数変換ブロックと第二の周波数変換ブロックとの間に設けたので、第一の周波数変換ブロックの前段で該第一の周波数変換ブロックにとってのイメージ周波数（RF Image）を除去するためのバンドパスフィルタを大型化することなく、第二の周波数変換ブロックにとってのイメージ周波数(IF Image)を減衰させることができる。
【００１３】
また本発明は、上記ローノイズブロックコンバータにおいて、前記減衰回路を帯域除去フィルタで構成したことを特徴とする。
【００１４】
この構成により、第二の周波数変換ブロックにとってのイメージ周波数(IF Image)を帯域除去フィルタで除去することができ、衛星放送受信信号の周波数帯域とイメージ周波数(IF Image)とが近接した領域において衛星放送受信信号を減衰することなくイメージ周波数(IF Image)を十分に減衰することができる。
【００１５】
また本発明は、上記ローノイズブロックコンバータにおいて、前記減衰回路をローパスフィルタで構成することができる。
【００１６】
また本発明は、上記ローノイズブロックコンバータにおいて、前記減衰回路と前記第二の周波数変換ブロックとの間に設けられ、複数のチャンネル信号群を入力する複数の入力端と当該入力端から入力されたチャンネル信号群を出力する複数の出力端子とを有するスイッチ回路を備えたことを特徴とする。
【００１７】
この構成により、スイッチ回路の複数の出力端に複数の周波数変換ブロックを接続することができ、チャンネル信号群を複数の固定周波数に変換して出力することができる。
【００１８】
また本発明は、上記ローノイズブロックコンバータにおいて、前記第一の周波数変換ブロックを複数備え、前記スイッチ回路は、前記複数の第一の周波数変換ブロックから前記入力端子に入力されるチャンネル信号群を選択して出力することを特徴とする。
【００１９】
この構成により、スイッチ回路の入力段には複数の第一の周波数変換ブロックを配置する一方、スイッチ回路の出力段には複数の第二の周波数変換ブロックを配置することができ、複数の第一の周波数変換ブロックからのチャンネル信号群をスイッチ回路で受けて、入力されたチャンネル信号群を選択して後段の複数の周波数変換ブロックへ出力することができる。
【発明の効果】
【００２０】
本発明によれば、第一のイメージ信号（RF  Image）を除去するためのバンドパスフィルタを大型化することなく、第二のイメージ信号（IF Image）を除去することができる。
【発明を実施するための最良の形態】
【００２１】
以下、本発明の実施の形態について添付図面を参照して詳細に説明する。
図１は本発明の一実施の形態に係るワイドバンドＬＮＢの全体構成図である。同図において、先に説明した図７に示すワイドバンドＬＮＢと同一構成要素には同一符号を付している。
【００２２】
本実施の形態に係るワイドバンドＬＮＢは、水平偏波信号Ｈの入力ラインにおいてバンドパスフィルタ１０２で第一のイメージ信号（RF Image）が除去された水平偏波信号Ｈを、第一の周波数変換ブロックとなるＲＦ混合器１０３で第一のＩＦ信号に変換すると共に、垂直偏波信号Ｖの入力ラインにおいてバンドパスフィルタ１３２で第一のイメージ信号（RF Image）が除去された垂直偏波信号Ｖを、第一の周波数変換ブロックとなるＲＦ混合器１３３で第一のＩＦ信号に変換する。また、第１のスイッチ回路１０８から出力される水平偏波信号Ｈ及び垂直偏波信号Ｖに関する第一のＩＦ信号を第二の周波数変換ブロックとなるＩＦ混合器１１０，１１３で固定周波数の第二のＩＦ信号に変換すると共に、第２のスイッチ回路１３８から出力される水平偏波信号Ｈ及び垂直偏波信号Ｖに関する第一のＩＦ信号を第二の周波数変換ブロックとなるＩＦ混合器１４０，１４３で固定周波数の第二のＩＦ信号に変換する。それぞれ特定の固定周波数に変換した４つの第二のＩＦ信号を合成して出力ポートから１本のケーブルへ出力する。このように、本実施の形態は、図７に示すワイドバンドＬＮＢと同様に、第一の周波数変換ブロックとなるＲＦ混合器１０３、１３３でＲＦ信号を第一のＩＦ信号に変換し、第一のＩＦ信号を第二の周波数変換ブロックとなるＩＦ混合器１１０、１１３、１４０、１４３でそれぞれ固定周波数の第二のＩＦ信号に変換し、これら第二のＩＦ信号を合成して１本のケーブルから出力する構成を備えている。
【００２３】
本実施の形態では、水平偏波信号Ｈの入力ラインにおいて、低雑音増幅器１０１の前段にハイパスフィルタ１１を設け、ＲＦ混合器１０３の後段であって分配器１０７の前段に第二のイメージ信号（IF Image）を除去するための帯域除去フィルタ１２を設けている。同様に垂直偏波信号Ｖの入力ラインにおいて、低雑音増幅器１３１の前段にハイパスフィルタ１３を設け、ＲＦ混合器１３３の後段であって分配器１３７の前段に第二のイメージ信号（IF Image）を除去するための帯域除去フィルタ１４を設けている。
【００２４】
ここで、本実施の形態に係るワイドバンドＬＮＢにおいて発生する第一及び第二のイメージ信号について具体的に説明する。図１に示すように、衛星放送受信信号として入力するＲＦ信号は、１０．７ＧＨｚ〜１２．７５ＧＨｚの水平偏波信号Ｈ及び垂直偏波信号Ｖであるものとする。第一の周波数変換ブロックであるＲＦ混合器１０３，１３３でＲＦ信号に乗算する局部発振信号Ｌｏは１０．２ＧＨｚであり、第一及び第二のチャンネル信号群である第一のＩＦ信号は０．５ＧＨｚ〜２．５５ＧＨｚであるとする。第一のＩＦ信号を０．５ＧＨｚ〜２．５５ＧＨｚ、局部発振信号Ｌｏを１０．２ＧＨｚとした場合、衛星放送受信信号の信号帯域１０．７ＧＨｚ〜１２．７５ＧＨｚ以外から、第一のＩＦ信号の信号帯域０．５ＧＨｚ〜２．５５ＧＨｚに変換され得る帯域、すなわち第一の周波数変換ブロック（１０３，１３３）にとってイメージ周波数（RF Image）となるイメージ帯は７．６５ＧＨｚ〜９．７ＧＨｚである。このイメージ帯を「RF Image1」とする。
【００２５】
また、第二の周波数変換ブロックとなるＩＦ混合器１１０、１１３、１４０、１４３で第一のＩＦ信号に各局部発振信号を乗算して得られる各固定周波数が１．４００ＧＨｚ、１．５１６ＧＨｚ、１．６３２ＧＨｚ、１．７４８ＧＨｚであるものとする。第一のＩＦ信号に乗算する局部発振信号が１．９ＧＨｚ〜４．３ＧＨｚであるとすれば、第一のＩＦ信号の信号帯域０．５ＧＨｚ〜２．５５ＧＨｚ以外から前記各固定周波数に変換される得る帯域、すなわち第二の周波数変換ブロック（１１０、１１３、１４０、１４３）にとってイメージ周波数（IF Image）となるイメージ帯は、固定周波数１．４００ＧＨｚに対しては３．３ＧＨｚ〜５．３５ＧＨｚであり、固定周波数１．５1６ＧＨｚに対しては３．５３２ＧＨｚ〜５．５８２ＧＨｚであり、固定周波数１．６３２ＧＨｚに対しては３．７６４ＧＨｚ〜５．８１４ＧＨｚであり、固定周波数１．７４８ＧＨｚに対しては３．９９６ＧＨｚ〜６．０４６ＧＨｚである。これらイメージ帯を上から順に「IF Image1_1」、「IF Image1_2」、「IF Image1_3」、「IF Image1_4」とする。上記第二のイメージ信号を生成する全イメージ帯の最小周波数３．３ＧＨｚから最大周波数６．０４６ＧＨｚが第二のＩＦ信号に対するイメージ帯となり、このイメージ帯を「IF Image1」とする。
【００２６】
第一の周波数変換ブロックであるＲＦ混合器１０３，１３３において、第二のイメージ信号（IF Image1：３．３ＧＨｚ〜６．０４６ＧＨｚ）に周波数変換され得る帯域は１３．５ＧＨｚ〜１６．２４６ＧＨｚと４．１５４ＧＨｚ〜６．９ＧＨｚの２つである。前者の周波数帯を「RF Image2_1」とし、後者の周波数帯を「RF  Image2_2」とする。
【００２７】
本実施の形態では、当該ワイドバンドＬＮＢの入力段に設けたハイパスフィルタ１１、１３に１０．７ＧＨｚ〜１２．７５ＧＨｚの衛星放送受信信号を含んだＲＦ信号が入力し、９．７ＧＨｚ以上の高域を通過させる。図２（ａ）はハイパスフィルタ１１、１３の出力段からバンドパスフィルタ１０２，１３２の入力段までの区間におけるＲＦ信号の周波数特性を示す図である。同図に示すように、ハイパスフィルタ１１、１３の減衰領域に含まれる７．６５ＧＨｚ〜９．７ＧＨｚのイメージ帯「RF Image1」並びに４．１５４ＧＨｚ〜６．９ＧＨｚの周波数帯「RF Image2_2」の信号が減衰されている。一方、第二のＩＦ信号に対するイメージ帯「IF Image1」のＲＦ信号成分である「RF  Image2_1」は９．７ＧＨｚ以上であるので除去されずに残っている。
【００２８】
ハイパスフィルタ１１、１３を通過して低雑音増幅器１０１，１３１で所定利得にて増幅されたＲＦ信号がバンドパスフィルタ１０２、１３２に入力される。バンドパスフィルタ１０２、１３２は、衛星放送受信信号の周波数帯域１０．７ＧＨｚ〜１２．７５ＧＨｚに所定の余裕を持たせた帯域を通過帯域としている。本実施の形態では、バンドパスフィルタ１０２、１３２の周波数特性により、衛星放送受信信号の最小周波数である１０．７ＧＨｚを減衰させることなくイメージ帯「RF Image1」の最大周波数９．７ＧＨｚを−４０ｄＢ以上減衰させている。図２（ｂ）はバンドパスフィルタ１０２、１３２の出力段からＲＦ混合器１０３，１３３の入力段までの区間におけるＲＦ信号の周波数特性図である。同図に示すように、衛星放送受信信号の最小周波数１０．７ＧＨｚとイメージ帯「RF Image1」の最大周波数９．７ＧＨｚとは１ＧＨｚ程度離れているので、上記減衰特性はフィルタ規模を大型化することなく実現可能である。ハイパスフィルタ１１、１３の具体的な構成については後述する。
【００２９】
一方、第二のＩＦ信号に対するイメージ帯「IF  Image1」のＲＦ信号成分である「RF Image2_1」の最小周波数１３．５ＧＨｚは、衛星放送受信信号の最大周波数１２．７５ＧＨｚから７５０ＭＨｚ程度しか離れていない。衛星放送受信信号の最大周波数１２．７５ＧＨｚを減衰させずに１３．５ＧＨｚ付近より高域側を上記同様−４０ｄＢ程度まで減衰させるためには、バンドパスフィルタ１０２、１３２を大幅に大型化しなければならない。本実施の形態では、バンドパスフィルタ１０２、１３２のサイズは従来同様に保つために、１３．５ＧＨｚ付近は−２０ｄＢ程度しか減衰させないこととした。この結果、第一のＩＦ信号には後にイメージ帯「IF Image1」となる「RF Image2_1」の信号成分が含まれたまま出力される。
【００３０】
第一の周波数変換ブロックとなるＲＦ混合器１０３、１３３ではバンドパスフィルタ１０２、１３２から出力されたＲＦ信号に対して局部発振信号Ｌｏを乗算して周波数変換された第一のＩＦ信号が出力される。第一のＩＦ信号は増幅器１０６，１３６において所定利得で増幅された後、帯域除去フィルタ１２，１４へ入力される。図３（ａ）はＲＦ混合器１０３、１３３の出力段から帯域除去フィルタ１２，１４の前段までの区間における第一のＩＦ信号の周波数特性図である。衛星放送受信信号の周波数帯域１０．７ＧＨｚ〜１２．７５ＧＨｚは０．５ＧＨｚ〜２．５５ＧＨｚに周波数変換されている。また、バンドパスフィルタ１０２，１３２では一部が十分に減衰できなかった周波数帯「RF Image2_1」１３．５ＧＨｚ〜１６．２４６ＧＨｚは３．３ＧＨｚ〜６．０４６ＧＨｚに周波数変換されている。上記した通り、３．３ＧＨｚ〜６．０４６ＧＨｚは第二のＩＦ信号に対するイメージ帯「IF Image1」である。
【００３１】
帯域除去フィルタ１２，１４は、３．３ＧＨｚ〜４．２ＧＨｚ程度の帯域幅の帯域除去特性を有する。上記したようにＲＦ信号では周波数帯「RF Image2_1」のうち１３．５ＧＨｚ〜１４．０ＧＨｚ近傍がバンドパスフィルタ１０２，１３２で十分に減衰できなかった。そこで、第一の周波数変換ブロックによる周波数変換後の第一のＩＦ信号から、第二の周波数変換ブロックによる周波数変換前に、上記減衰が不十分であった領域に相当する部分を、帯域除去フィルタ１２，１４で除去している。図３（ｂ）は帯域除去フィルタ１２，１４の出力段から第二の周波数変換ブロックとなるＩＦ混合器１１０，１１３，１４０，１４３の入力段までの区間における第一のＩＦ信号の周波数特性図である。同図に示すように、帯域除去フィルタ１２，１４を通すことにより、第一のＩＦ信号における３．３ＧＨｚ以上の高域側を−４０ｄＢ付近まで減衰することができる。この結果、第二のＩＦ信号に対するイメージ帯「IF Image1」を十分に除去することができる。
【００３２】
帯域除去フィルタ１２，１４を通過した水平偏波信号Ｈ側の第一のＩＦ信号は分配器１０７で第１のスイッチ回路１０８及び第２のスイッチ回路１３８に分配され、垂直偏波信号Ｖ側の第一のＩＦ信号は分配器１３７で第１のスイッチ回路１０８及び第２のスイッチ回路１３８に分配される。
【００３３】
第１及び第２のスイッチ回路１０８、１３８から選択出力された第一のＩＦ信号は、第二の周波数変換ブロックとなるＩＦ混合器１１０，１１３，１４０，１４３でそれぞれ特定周波数に周波数変換される。
【００３４】
このように、第二のＩＦ信号に対するイメージ帯「IF  Image1」に相当する周波数帯「RF Image2_1」及び「RF Image2_2」のうち周波数帯「RF Image2_2」はバンドパスフィルタ１０２，１３２において除去されており、十分に減衰（除去）できなかった周波数帯「RF Image2_1」は第一のＩＦ信号に変換した後に残っているが第二のＩＦ信号への変換前に帯域除去フィルタ１２，１４で除去される。したがって、イメージ帯「IF Image1」を除去した第一のＩＦ信号がＩＦ混合器１１０，１１３，１４０，１４３に入力され第二のＩＦ信号に変換される。
【００３５】
各ＩＦ混合器１１０，１１３，１４０，１４４でそれぞれ固定周波数に変換された第二のＩＦ信号は、バンドパスフィルタ１２３，１２４，１４３，１４４でそれぞれの固定周波数に対する不要周波数成分をカットし、２段の混合器１２５，１４５及び１２６で混合される。そしてＩＦ増幅器１２７で設定ゲインにて増幅された後、出力ポートからケーブルへ出力される。
【００３６】
次に、バンドパスフィルタ１０２，１３２及び帯域除去フィルタ１２，１４の具体的な構成例について説明する。
【００３７】
図４はバンドパスフィルタ１０２（１３２）の構成例を示す図である。基板２０に結合用フィルタ素子２１−１〜２１−６と結合用フィルタ素子２２−１〜２２−５とを交互に互い違いに配置し、一方端の結合用フィルタ素子２１−１に隣接して一方の入出力用フィルタ素子２３を配置し、他方端の結合用フィルタ素子２１−６に隣接して他方の入出力用フィルタ素子２４を配置している。
【００３８】
各結合用フィルタ素子は、グラウンドに接続された中間点３１から基板中央側にオープンスタブ３２が形成され、基板側面側にショートスタブ３３が形成されている。一方側に配置された結合用フィルタ素子２１−１〜２１−６と他方側に配置された結合用フィルタ素子２２−１〜２２−５とは、各々のオープンスタブ３２を配列方向に交互配置している。
【００３９】
隣接する結合用フィルタ素子間隔、各結合用フィルタ素子の幅、オープンスタブ３２及びショートスタブ３３の長さを調整することで、１０．７ＧＨｚ〜１２．７５ＧＨｚを中心通過帯域とする周波数特性を有するバンドパスフィルタ１０２（１３２）を構成することができる。
【００４０】
以上のように構成されたバンドパスフィルタの周波数特性についてシミュレーションした結果、９．７ＧＨｚより低域側を−４０ｄＢ以上減衰できることが確認された。したがって、イメージ帯「RF Image1」（７．６５ＧＨｚ〜９．７ＧＨｚ）と第二のＩＦ信号に対するイメージ帯「IF Image1」のＲＦ信号成分である「RF  Image2_2」（４．１５４ＧＨｚ〜６．９ＧＨｚ）を除去できる性能を実現できる。
【００４１】
図５は帯域除去フィルタ１２（１４）を集中定数ＬＣフィルタで構成した構成例を示す図である。この集中定数ＬＣフィルタは、一方の入出力ポート３１と他方の入出力ポート３２との間にキャパシタ３３及びインダクタ３４からなるＬＣ並列回路とキャパシタ３５及びインダクタ３６からなるＬＣ並列回路とを直列に設け、その中間接続点とグラウンドとの間にキャパシタ３７及びインダクタ３８からなるＬＣ直列回路を設けた構成となっている。
【００４２】
以上のように構成された集中定数ＬＣフィルタの周波数特性についてシミュレーションした結果、約３．３ＧＨｚ〜４．２ＧＨｚの帯域除去特性を実現できることが確認された。なお、帯域除去特性はキャパシタ容量値のバラツキにより多少変化する。上記集中定数ＬＣフィルタにおいてキャパシタ容量値のバラツキに対する周波数特性の変化をシミュレーションした。Ｌ値を固定して、Ｃ値を±０．１ｐＦで変化させたところ、３．３ＧＨｚでのバラツキは３０ｄＢ以上であった。キャパシタ容量値が設計値よりも＋０．１ｐＦ大きい場合、３．３ＧＨｚ近傍での減衰量が不足する可能がある。
【００４３】
図６は帯域除去フィルタ１２（１４）を分布定数ＬＣフィルタで構成した構成例を示す図である。この分布定数ＬＣフィルタは、ストリップライン４０の一端を一方の入出力ポート４１とすると共に他端を他方の入出力ポート４２とし、ストリップライン４０の第１の中間点においてＴ型分岐路を介して略λ／４（１３．５ｍｍ）のオープンスタブ４３を形成し、第１の中間点から所定距離（１０．０ｍｍ）離れた第２の中間点においてＴ型分岐路を介して略λ／４（１４．５ｍｍ）のオープンスタブ４４を形成している。なお、中心周波数は３．６ＧＨｚに設定している。
【００４４】
以上のように構成された分布定数ＬＣフィルタの周波数特性についてシミュレーションした結果、約３．３ＧＨｚ〜４．２ＧＨｚの帯域除去特性を実現できることが確認された。また、オープンスタブ４３，４４の長さを±０．１ｍｍ変化させて３．３ＧＨｚでの減衰量の変化を確認したところ、１０ｄＢ以内であった。したがって、分布定数ＬＣフィルタで帯域除去フィルタ１２（１４）を構成することにより、オープンスタブ４３，４４の長さのバラツキに対して３．３ＧＨｚでの減衰量のバラツキが抑えられた安定した性能を実現できる。
【００４５】
以上のように本実施の形態によれば、第一の周波数変換ブロックとなるＲＦ混合器１０３，１３３の後段であって第二の周波数変換ブロックであるＩＦ混合器１１０，１１３，１４０，１４３の前段に、バンドパスフィルタ１０２，１３２で除去しきれないイメージ帯「IF Image1」を除去する帯域除去フィルタ１２，１４を設けるように構成したので、衛星放送受信信号の信号帯域を減衰させずに、良好なイメージ特性を実現できる。
【００４６】
本発明は上記した一実施の形態に限定されるものではなく、種々変形実施可能である。例えば、帯域除去フィルタ１２、１４の代わりにローパスフィルタ、バンドパスフィルタを用いることもできる。衛星放送受信信号の信号帯域の近接したイメージ帯を所要の減衰レベルまで減衰できる減衰回路であれば、帯域除去フィルタ１２、１４以外の回路であっても良い。
【産業上の利用可能性】
【００４７】
本発明は、衛星放送受信用の１ケーブル出力のワイドバンドＬＮＢに適用可能である。
【図面の簡単な説明】
【００４８】
【図１】本発明の一実施の形態に係るワイドバンドＬＮＢの構成図
【図２】（ａ）上記実施の形態においてハイパスフィルタ通過後のＲＦ信号の周波数特性図、（ｂ）バンドパスフィルタ通過後のＲＦ信号の周波数特性図
【図３】（ａ）上記実施の形態においてＲＦ混合器通過後のＩＦ信号の周波数特性図、（ｂ）帯域除去フィルタ通過後のＩＦ信号の周波数特性図
【図４】インターディジタルフィルタで構成したバンドパスフィルタの構成図
【図５】集中定数ＬＣフィルタで構成した帯域除去フィルタの構成図
【図６】分布定数ＬＣフィルタで構成した帯域除去フィルタの構成図
【図７】従来のワイドバンドＬＮＢの構成図
【符号の説明】
【００４９】
１１、１３  ハイパスフィルタ
１２，１４  帯域除去フィルタ
１０１、１３１  低雑音増幅器
１０２、１３２  バンドパスフィルタ
１０３、１３３  混合器
１０４  局部発振器
１０６、１３６  ＩＦ増幅器
１０８  第１のスイッチ回路
１１０、１１３、１４０、１４３９  ＩＦ混合器
１１１、１１４、１４１、１４４  電圧制御発振器
１２１，１２２，１５１、１５２  バラン
１２３，１２４，１５３，１５４  バンドパスフィルタ
【図１】
2007235433.tif 000003
【図２】
2007235433.tif 000004
【図３】
2007235433.tif 000005
【図４】
2007235433.tif 000006
【図５】
2007235433.tif 000007
【図６】
2007235433.tif 000008
【図７】
2007235433.tif 000009